(57)【要約】【課題】取付具がＨ型鋼フランジ等から外れ難いと共に取付具が引っ掛かったりしないか、引っ掛かり難くした取付具を提供する。【解決手段】物体の挟持部を形成するように屈曲させた形状の取付具本体と、該取付具本体の対向する挟持部の一方に物体を吊り下げる紐・チェーン等の連結部を連設し、他方の挟持部に、不使用時は前記取付具本体の開口を閉鎖するが、開く方向（外向き）に力を加えるとバネ体の力に抗して開口するように、バネ体を設けた。【選択図】　　　　図７
2004052776.tif 000002
【特許請求の範囲】
【請求項１】
物体の挟持部を形成するように屈曲させた形状の取付具本体と、該取付具本体の対向する挟持部の一方に物体を吊り下げる紐・チェーン等の連結部を連設し、他方の挟持部に、不使用時は前記取付具本体の開口を閉鎖するが、開く方向に力を加えるとバネ体の力に抗して開口するように、バネ体を設けたことを特徴とするＨ形鋼フランジ等に引っ掛けて物体の落下を防止するバネ付き取付具。
【請求項２】
前記バネ体は、バネ性を有する材料からアームの一方が長くなるように屈曲させてなり、長さの異なる両アームの両端部を折曲し、該両折曲部をそれぞれ前記他方の挟持部の対向面にずらして形成した嵌合孔に嵌合させることによって、前記バネ体の屈曲部を前記紐・チェーン等の連結部を連設した挟持部に当接し得るように形成し、当接時前記バネ体と前記他方の挟持部とがなす角度が鈍角となるように構成してなる請求項１記載の取付具。
【請求項３】
前記挟持部の一方を長く形成し、長く形成した挟持部に物体を吊り下げる紐・チェーン等の連結部を連設し、他方の挟持部にバネ体を設けてなる請求項１又は２記載の取付具。
【請求項４】
前記長く形成した挟持部の端部をリング状に形成し、これを前記紐・チェーン等の連結部としてなる請求項３記載の取付具。
【発明の詳細な説明】
【０００１】
【発明が属する技術分野】
この発明は、建設・土木工事等において使用する器具等（物体）の落下防止のために器具等に取りつけられた紐・チェーン等を連結し、Ｈ形鋼フランジ等に引っ掛けて物体の落下を防止するバネ付き取付具に関する。
【０００２】
【従来の技術】
仮設工事等に使用する器具等（物体）の落下防止のために、図１に示すように、逆Ｕ字形の取付具本体１の一端を紐・チェーン等のリング状連結部２に形成し、同連結部２に物体に取り付けられた紐・チェーン３等の先端を連結し、取付具本体１をＨ形鋼フランジ４等に引っ掛けて物体の落下を防止することが行われている。
【０００３】
しかしながら上記取付金具は、Ｕ字形に加工した金具を単純に引っ掛けるだけの構造であるため、外れ易い欠点があった。そればかりか、保管・運搬等のため、物体に紐・チェーン等を介して取付金具を取りつけ、これを積層状態としたり、メッシュパレット等の収納容器に格納した場合に、取り出すとき取付金具がメッシュパレットの網目に引っ掛かったり、取付金具同士が引っ掛かったりして、分離が困難となる場合が生じる問題があった。
【０００４】
【発明が解決しようとする課題】
この発明は、このような点に着目してなされたものであり、取付具がＨ形鋼フランジ等から外れ難いと共に取付具が引っ掛かったりしないか、引っ掛かり難くした取付具を提供することを目的とする。
【０００５】
【課題を解決するための手段】
上記目的に沿う本発明のうち請求項１に記載の発明は、物体の挟持部を形成するように屈曲させた形状の取付具本体と、該取付具本体の対向する挟持部の一方に物体を吊り下げる紐・チェーン等の連結部を連設し、他方の挟持部に、不使用時は前記取付具本体の開口を閉鎖するが、開く方向（外向き）に力を加えるとバネ体の力に抗して開口するように、バネ体を設けたことを特徴とする。
【０００６】
要するに本発明は、逆Ｕ字状等の形状の取付具本体の開口部を、常時はバネ体で閉じるように構成し、Ｈ形鋼フランジ等に引っ掛ける時は、バネ体を手で開いて開口部をＨ形鋼フランジ等に嵌合させ、手を離してバネ体でＨ形鋼フランジ等を押圧するようにすることによって、取付具がＨ形鋼フランジ等から外れ難く且つ取付具が引っ掛かったりし難くしたことを要旨とするものである。
【０００７】
バネ体は、バネ性を有する材料からアームの一方が長くなるように屈曲させてなり、長さの異なる両アームの両端部を折曲し、該両折曲部をそれぞれ前記短く形成した部材の対向面にずらして形成した嵌合孔に嵌合させることによって、前記バネ体の屈曲部を前記紐・チェーン等の連結部を連設した挟持部に当接し得るように形成し、当接時前記バネ体と前記他方の挟持部とがなす角度が鈍角となるように構成するのが好ましい（請求項２）。
【０００８】
挟持部の一方を長く形成し、長く形成した挟持部に物体を吊り下げる紐・チェーン等の連結部を連設し、他方の挟持部にバネ体を設けるのが好ましい（請求項３）。
【０００９】
長く形成した挟持部の端部をリング状に形成し、これを前記紐・チェーン等の連結部とするのが好ましい（請求項４）。
【００１０】
【発明の実施の形態】
次に、本発明の実施の形態を図面に基づいて説明する。
【００１１】
図２は、本発明の一実施例を示すものであり、金属製の太い線材から逆Ｕ字形に形成した取付具本体１と、同取付具本体１の対向する挟持部５，５´の長く形成した挟持部５´の端部をリング状に屈曲させて形成した紐・チェーン等の連結部２と、短く形成した挟持部５の端部に、取付具本体１の開口を閉じるように固定したバネ体６とを具備した例を示す。
【００１２】
バネ体６は、図３に示すように、バネ性を有する細い針金のような金属製の線状体を、アーム７，７´の長さ（Ｒ、ｒ）に差Ｓを付けるようにＵ字形に屈曲させ、アーム７，７´の端部を内方に向けて折曲したＬ字形の差込み部８，８´に形成している。
【００１３】
短く形成した挟持部５には、図４に示すように軸芯Ａの垂直方向（図５の表裏方向）にバネ体の取付穴９，９´が、Ｓの差をつけて図５の表裏面に対向するように形成され、バネ体の取付穴９，９´に、上記アームの差込み部８，８´を差し込むようになっている。
【００１４】
バネ体６の長手方向には山形（く字状）の折曲部１０が形成されている。バネ体６の折曲した角度は、軸心Ａとなす角度が鈍角であって、アーム連結部（バネ体の屈曲部）１１が挟持部５´に触れる程度とするのが良い。折曲部１０は、アール状であっても、全体的に曲面であっても差し支えない。この場合でも、曲面を直線状とした場合の角度が鈍角となるようにする。
【００１５】
上記実施例では、バネ体６に折曲部１０を形成しているが、これは直線状であっても差し支えない。直線状にした場合でも、軸心Ａとなす角度は鈍角とする必要がある。また、直線状にした場合は、図５に示すように、バネ体６は図５の側面から見て、アーム７，７´が角度α°で交差するように予め設定することによって、バネ体６は常時閉鎖状態を維持することができる。
【００１６】
何れの場合も、本体開口方向から他の物体による押圧力Ｆが作用し開口部内に入り込もうとする作用力が働いても、バネ体６と挟持部５´とは鋭角で交差しているので、バネ体６を更に閉じようとする方向に作用する。
【００１７】
図６に示すように、バネ体６を矢印Ｃの方向に回転させ、アーム７がＢ軸まで回転すると、アーム７，７´は回転角度にα´度の回転角度の差を生じる。また、アームが回転するとき、アーム７，７´の回転半径の差及び回転角度の差は、回転角度の進展に伴いアームの先端部分の到達位置に差を生じるため、アーム７，７´の連結部１１に曲げと捻りの作用を生じ、強いバネ作用を生じる。
【００１８】
図５に示すように、バネ体６´を直線状とした場合、バネ体６´のアーム７，７´のなす角度をα°で交差するように予め形成することによって、前記バネ体６の場合とは逆に、開口方向に引き戻したとき、元の位置に復元しようとするバネ力が発生することになるが、回転角度が略同じであれば、そのバネ力の大きさは略同じと考えて良い。
【００１９】
バネ体６，６´に発生するバネ力は、アーム７，７´の長さ及び両アーム長さ（Ｒ、ｒ）の差Ｓ、使用する材料の材質、素材の大きさ〈太さ〉等によって異なる性質が得られるので、使用目的に応じた要素を選択すれば良い。
【００２０】
図７は、本発明の取付具をＨ形鋼４に引っ掛けた状態を示すものであり、バネ体６がＨ形鋼４を強く押圧するので、挟持部５´とバネ体６とでＨ形鋼４を弾持している。従って、従来のように引っ掛かっただけで外れたり、Ｈ形鋼４の長さ方向に移動したりすることが無くなる。
【００２１】
取付具本体１は、金属棒を折曲させたり、適当なプラスチックを成形することにより形成することができる。上記実施例では、断面丸形の棒状体から形成しているが、断面角形でも勿論良い。また、アーム７，７´を支持できるような取付穴９，９´を設けることができるならば、板状であっても差し支えない。
【００２２】
上記実施例では、バネ体のアーム７，７´の先端は、内方に向けて折曲しているが、これは必ずしもこのようでなくとも良い。取付具本体１をパイプ状物から形成すれば、アーム７，７´先端を外方に向けて折曲させ、アーム先端をパイプに差し込み、折曲部をパイプの内側から外側に嵌合させても良い。尚，この場合は、バネ体が支障無く回動し得るように、パイプに切り欠きを設けると良い。
【００２３】
バネ体は、ピアノ線、ステンレス線等の弾力性のある金属線を折曲させて形成することができる。バネ体が弾性を有するなら、プラスチック等の他の材料から形成しても差し支えない。
【００２４】
【発明の効果】
以上述べた如く、本発明によれば、従来絡み易かった取付金具において、バネ体を外側にのみ開口するように取りつけることによって、絡み合うことなく容易に分離することが可能となった。また、Ｈ形鋼に取りつける際、従来取付に不安定であったのに対し、バネ体の作用により容易に取りつけられ、且つ安定した状況を得ることが可能となった。
【図面の簡単な説明】
【図１】従来の取付金具の使用状態を示す正面図である。
【図２】本発明の取付具の一実施例を示す正面図である。
【図３】本発明のバネ体を取り付けた状態を示す正面図である。
【図４】本発明の取付具のバネ体に力が作用した状態を示す正面図である。
【図５】本発明の他の実施例を示す正面図である。
【図６】本発明のバネ体を開口する状態を示す正面図である。
【図７】本発明の取付具の使用状態を示す正面図である。
【符号の説明】
１………取付具本体
２………紐・チェーン等のリング状連結部
３………紐・チェーン
４………Ｈ形鋼フランジ
５，５´………取付具本体の挟持部
６………バネ体
７，７´………バネ体のアーム
８，８´………バネ体の差込み部
８，８´………バネ体の取付穴
【図１】
2004052776.tif 000003
【図２】
2004052776.tif 000004
【図３】
2004052776.tif 000005
【図４】
2004052776.tif 000006
【図５】
2004052776.tif 000007
【図６】
2004052776.tif 000008
【図７】
2004052776.tif 000009